(57)【要約】      （修正有）【課題】ＤＶＤに記録された映像番組等のコンテンツを示す映像の縮小画（サムネイル）を逐次ハードディスクに記録し、ハードディスク内のコンテンツのサムネイル及び、過去に記録されたＤＶＤと共に一覧表示することを可能にする。【解決手段】ＤＶＤ等の記録媒体に記録された映像番組等のサムネイルを生成するサムネイル生成部２２０と、生成したサムネイルを格納するＤＶＤサムネイル記憶部２３２と、ハードディスク２３０に記録されたサムネイルを格納するＨＤＤサムネイル記憶部２３１と、ＤＶＤサムネイルとＨＤＤサムネイルとを表示するためのサムネイル一覧表示生成部２５０と、ＤＶＤサムネイル記憶部又はＨＤＤサムネイル記憶部に格納されたサムネイルの消去を行うサムネイル消去部２６０と、サムネイル一覧表示生成部及びサムネイル消去部に指示を出すユーザインターフェース部２４０とを備える。【選択図】図３
2007115298.tif 000002
【特許請求の範囲】
【請求項１】
記憶メディアに記録されたコンテンツの内容を示すサムネイルを生成するサムネイル生成部と、
前記サムネイル生成部によって生成されたサムネイルを格納する記憶メディア用サムネイル記憶部と、
ＨＤＤ（ハードディスク）に記録されたコンテンツの内容を示すサムネイルを格納するＨＤＤ用サムネイル記憶部と、
ユーザからの命令を受け付けるユーザインターフェース部と、
前記ユーザインターフェース部からの一覧表示指示に応答して、前記記憶メディア用サムネイル記憶部に格納された現在使用されている記憶メディアと過去に記録された記憶メディアのサムネイル、及び前記ＨＤＤ用記憶部に格納されたサムネイルを一覧表示するサムネイル一覧表示生成部と
を具備する
記録再生装置。
【請求項２】
請求項１に記載の記録再生装置において、
前記ユーザインターフェース部からのサムネイル消去指示に応答して、前記記憶メディア用サムネイル記憶部又は前記ＨＤＤ用記憶部に格納されたサムネイルを消去するサムネイル消去部を更に具備する
記録再生装置。
【請求項３】
請求項１に記載の記録再生装置において、
前記現在使用されている記憶メディアのサムネイルが既に前記記憶メディア用サムネイル記憶部に格納されているか否かの判定を行うディスク判別部を更に具備する
記録再生装置。
【請求項４】
請求項３に記載の記録再生装置において、
前記ディスク判別部は、前記現在使用されている記憶メディアのサムネイルが前記記憶メディア用サムネイル記憶部に格納されていない場合、前記現在使用されている記憶メディアのサムネイルを前記記憶メディア用サムネイル記憶部に格納する
記録再生装置。
【請求項５】
（ａ）記憶メディアに記録されたコンテンツの内容を示すサムネイルを生成するステップと、
（ｂ）前記生成されたサムネイルを格納するステップと、
（ｃ）ＨＤＤ（ハードディスク）に記録されたコンテンツの内容を示すサムネイルを格納するステップと、
（ｄ）ユーザインターフェースからの一覧表示指示に応答して、前記格納された現在使用されている記憶メディアと過去に記録された記憶メディアのサムネイル、及び前記格納されたＨＤＤのサムネイルを一覧表示するステップと
を具備する
記録再生方法。
【請求項６】
請求項５に記載の記録再生方法において、
（ｅ）前記ユーザインターフェースからのサムネイル消去指示に応答して、前記格納されたサムネイルを消去するステップを更に具備する
記録再生方法。
【請求項７】
請求項５に記載の記録再生方法において、
（ｆ）前記現在使用されている記憶メディアのサムネイルが既に前記格納されているか否かの判定を行うステップを更に具備する
記録再生方法。
【請求項８】
請求項７に記載の記録再生方法において、
（ｇ）前記現在使用されている記憶メディアのサムネイルが前記格納されていない場合、前記現在使用されている記憶メディアのサムネイルを格納するステップを更に具備する
記録再生方法。
【請求項９】
請求項５乃至８のいずれか一項に記載の記録再生方法を、コンピュータに実行させるためのプログラム。
【発明の詳細な説明】
【技術分野】
【０００１】
本発明は、ハードディスクを搭載したＤＶＤ等の記録再生装置に関し、特にハードディスク及びＤＶＤ等に記録された映像番組等のコンテンツを一覧表示する記録再生装置、記録再生方法、及びプログラムに関する。
【背景技術】
【０００２】
ＤＶＤレコーダの普及により、家庭でも容易に映像データをデジタルで記録することが可能になった。ＤＶＤレコーダの立ち上がりはＤＶＤへの記録を主としたＤＶＤレコーダ単体機であった。しかし、ハードディスク（ＨＤＤ）にとりあえず記録して永く保存したいものだけをＤＶＤに記録するというハードディスク付きのＤＶＤレコーダが主流となってきた。
【０００３】
また、ＤＶＤ及びハードディスクの大容量化に伴い、ＤＶＤ又はハードディスクに記録されている内容をよりわかりやすく示すために、サムネイルで表示する方法が一般的になっている。サムネイルは画像データのイメージを縮小画像で表示したものである。サムネイルで表示することにより、ＤＶＤ及びハードディスクに保存されている内容を一覧表示することができ、記録された内容全部を一目で把握することが可能である。また、サムネイルをクリックするとその画像を再生することができる。そのためサムネイルの一覧表示は、再生したい画像データの検索と選択を容易に行うことが可能である。
【０００４】
従来技術では、ＤＶＤ等の記録媒体に記録された映像番組等のコンテンツの内容を示すサムネイルを生成するサムネイル生成部とその生成したサムネイルを格納するＤＶＤサムネイルバッファを備える。また、ハードディスクに記録されたコンテンツの内容を示すＨＤＤ用サムネイル記憶部をハードディスク内に備える。
ユーザインターフェース部からのＤＶＤサムネイル一覧の表示指示を受けると、サムネイル一覧表示生成部がＤＶＤ用サムネイル記憶部をセレクタにより選択し、ＤＶＤ用サムネイル記憶部から格納されたサムネイルの内容を一覧表示する。同様に、ユーザインターフェース部からのＨＤＤサムネイル一覧の参照指示を受けると、サムネイル一覧表示生成部がＨＤＤ用サムネイル記憶部をセレクタにより選択し、ＨＤＤ用サムネイル記憶部から格納されたサムネイルの内容を一覧表示する。
【０００５】
図１にサムネイルの一覧表示における従来技術のブロック図を示す。
従来技術のハードディスクを搭載したＤＶＤ記録再生装置は、ＤＶＤドライブ１１０、サムネイル生成部１２０、ＨＤＤ１３０、ユーザインターフェース部１４０、サムネイル一覧表示処理部１５０、セレクタ１６０を具備する。
【０００６】
ＤＶＤドライブ１１０は、ＤＶＤが挿入される。サムネイル生成部１２０は、ＤＶＤ等の記録媒体に記録された映像番組等のコンテンツを示すサムネイルを生成する。ＨＤＤ１３０は、ＨＤＤサムネイル記録部１３１を有する。ＨＤＤ用サムネイル記憶部１３１は、ＨＤＤに記録されたコンテンツの内容を示す。ユーザインターフェース部１４０は、ユーザからの命令を受け付ける。サムネイル一覧表示処理部１５０は、サムネイル一覧表示処理を実行する。セレクタ１６０は、ＨＤＤかＤＶＤかのいずれかを選択する。
【０００７】
従来技術においてユーザが特定のコンテンツを再生したい場合のユーザの手順を図２のフローチャートに示す。
（１）ステップＳ１０１
ＨＤＤのサムネイルを表示する。
この時、ユーザインターフェース部１４０からＨＤＤの内容一覧コマンドが発行される。サムネイル一覧表示処理部１５０は、ＨＤＤの内容一覧コマンドによりセレクタ１６０のＨＤＤ側を選択する。サムネイル一覧表示処理部１５０は、ＨＤＤ記憶部１３０内のＨＤＤ用サムネイル記憶部１３１内のサムネイルを読み出し、一覧表示を行う。
（２）ステップＳ１０２
ＨＤＤ用サムネイル記憶部１３１内のサムネイル一覧にユーザが所望するコンテンツがある場合、ユーザがユーザインターフェース部１４０から所望のコンテンツのサムネイルを選択する。その後、ステップＳ１０７の処理に移行する。
（３）ステップＳ１０３
ユーザが所望するコンテンツの内容が無い場合、ＤＶＤドライブ１１０にＤＶＤ１が挿入される。ＤＶＤドライブ１１０は、挿入されたＤＶＤ１に記憶されているデータを読み出す。
（４）ステップＳ１０４
ＤＶＤのサムネイルを表示する。
この時、ユーザインターフェース部１４０からＤＶＤ１の内容一覧コマンドが発行される。サムネイル一覧表示部１５０は、ＤＶＤ１の内容一覧コマンドによりセレクタ１６０のＤＶＤ側を選択する。サムネイル生成部１２０はＤＶＤ１を参照してＤＶＤ１のサムネイルを生成する。サムネイル一覧表示部１５０は、生成されたＤＶＤ１のサムネイルを一覧表示する。
（５）ステップＳ１０５
ＤＶＤ１のサムネイル一覧にユーザが所望するコンテンツがある場合、ユーザがユーザインターフェース部１４０から所望のコンテンツのサムネイルを選択する。その後、ステップＳ１０７の処理に移行する。
（６）ステップＳ１０６
ユーザが所望するコンテンツの内容が無い場合、ＤＶＤドライブ１１０からＤＶＤ１が取り出される。この時、ユーザインターフェース部１４０からの指示に応じてＤＶＤドライブ１１０がＤＶＤ１を排出する。
（７）ステップＳ１０７
ユーザインターフェース部２４０から選択されたサムネイルに対応するコンテンツを再生する。
この時、コンテンツがＨＤＤのサムネイル一覧にある場合、ＨＤＤ記憶部１３０が、ＨＤＤ記憶部１３０内のコンテンツを再生する。
また、コンテンツがＤＶＤ１のサムネイル一覧にある場合、ＤＶＤドライブ１１０が、ＤＶＤ１のコンテンツを再生する。
【０００８】
従来技術の実施例について以下に説明する。
現在、ＤＶＤ１が挿入されているとする。この時、ＤＶＤサムネイル生成部において、ＤＶＤ１に記録されたコンテンツの内容を示すＤＶＤ１サムネイルの生成を行う。生成されたＤＶＤ１サムネイルをＤＶＤサムネイルバッファに格納される。ＨＤＤ用サムネイル記憶部には、ハードディスクに記録されたコンテンツのサムネイルが格納されている。
ユーザインターフェース部からのＤＶＤサムネイル一覧の表示指示があると、サムネイル一覧表示生成部がＤＶＤサムネイルバッファをセレクタにより選択し、ＤＶＤサムネイルバッファに格納されているＤＶＤ１サムネイルの表示を行う。また、ユーザインターフェース部からのＨＤＤサムネイル一覧の表示指示があると、サムネイル一覧表示生成部がＨＤＤ用サムネイル記憶部をセレクタにより選択し、ＨＤＤ用サムネイル記憶部に格納されているＤＶＤ１サムネイルの表示を行う。
ＤＶＤ１が取り出されると、サムネイル消去部で取り出されたことを検出し、サムネイルバッファからＤＶＤ１サムネイルは消去される。
【０００９】
関連する技術として、特開２００４−０４７０６４号公報にディスク記憶媒体及びその記録編集再生方法及びその記録編集再生装置が開示されている。
この従来技術におけるディスク再生装置は、ディスク記憶媒体をディスク再生装置に挿入した時に、前記ディスク記憶媒体のあらかじめ確保されたある一定の領域に記録されているファイル管理情報を読出す手段と、この読出されたファイル管理情報内のコンテンツタイトルと共に、前記コンテンツに対応する概略情報ファイルを読出してコンテンツタイトルと概略情報とを同時に表示する手段とを備えている。
【００１０】
【特許文献１】特開２００４−０４７０６４号公報
【発明の開示】
【発明が解決しようとする課題】
【００１１】
図２のように、特定のコンテンツがどこの場所に記録されているかがわからない場合、一覧表示を行う手順を複数回繰り返す必要が発生する。複数回となる要因は以下にある。
一つは、ＨＤＤ（ハードディスク）のサムネイルの一覧表示とＤＶＤのサムネイルの一覧表示が同時に行えないため、少なくとも一覧表示を２回行う必要がある。従来の場合、セレクタでＤＶＤとＨＤＤを選択して一覧表示を行う構成のためである。
もう一つは、ＤＶＤのサムネイルの一覧表示はＤＶＤを挿入して行うため、挿入したＤＶＤが特定のコンテンツでない場合には、別のＤＶＤを挿入して一覧表示をする必要がある。そして、見つかるまでその作業を繰り返すことになる。従来の場合、挿入しているＤＶＤのサムネイルしか一覧表示できない構成のためである。
このように、従来技術では、ハードディスク及びＤＶＤに記録された映像番組等のコンテンツの内容を示すサムネイルの参照がハードディスク又はＤＶＤのどちらか一方のみの参照となり、再生や検索が非効率である。
【課題を解決するための手段】
【００１２】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１３】
本発明の記録再生装置は、記憶メディアに記録されたコンテンツの内容を示すサムネイルを生成するサムネイル生成部（２２０）と、前記サムネイル生成部（２２０）によって生成されたサムネイルを格納する記憶メディア用サムネイル記憶部（２３２）と、ＨＤＤ（ハードディスク）（２３０）に記録されたコンテンツの内容を示すサムネイルを格納するＨＤＤ用サムネイル記憶部（２３１）と、ユーザからの命令を受け付けるユーザインターフェース部（２４０）と、前記ユーザインターフェース部（２４０）からの一覧表示指示に応答して、前記記憶メディア用サムネイル記憶部（２３２）に格納された現在使用されている記憶メディアと過去に記録された記憶メディアのサムネイル、及び前記ＨＤＤ用記憶部に格納されたサムネイルを一覧表示するサムネイル一覧表示生成部（２５０）とを具備する。
【００１４】
本発明の記録再生装置は、前記ユーザインターフェース部（２４０）からのサムネイル消去指示に応答して、前記記憶メディア用サムネイル記憶部（２３２）又は前記ＨＤＤ用記憶部に格納されたサムネイルを消去するサムネイル消去部（２６０）を更に具備する。
【００１５】
本発明の記録再生装置は、前記現在使用されている記憶メディアのサムネイルが既に前記記憶メディア用サムネイル記憶部（２３２）に格納されているか否かの判定を行うディスク判別部（２７０）を更に具備する。
【００１６】
前記ディスク判別部（２７０）は、前記現在使用されている記憶メディアのサムネイルが前記記憶メディア用サムネイル記憶部（２３２）に格納されていない場合、前記現在使用されている記憶メディアのサムネイルを前記記憶メディア用サムネイル記憶部（２３２）に格納する。
【００１７】
本発明の記録再生方法は、（ａ）記憶メディアに記録されたコンテンツの内容を示すサムネイルを生成するステップと、（ｂ）前記生成されたサムネイルを格納するステップと、（ｃ）ＨＤＤ（ハードディスク）（２３０）に記録されたコンテンツの内容を示すサムネイルを格納するステップと、（ｄ）ユーザインターフェースからの一覧表示指示に応答して、前記格納された現在使用されている記憶メディアと過去に記録された記憶メディアのサムネイル、及び前記格納されたＨＤＤのサムネイルを一覧表示するステップとを具備する。
【００１８】
本発明の記録再生方法は、（ｅ）前記ユーザインターフェースからのサムネイル消去指示に応答して、前記格納されたサムネイルを消去するステップを更に具備する。
【００１９】
本発明の記録再生方法は、（ｆ）前記現在使用されている記憶メディアのサムネイルが既に前記格納されているか否かの判定を行うステップを更に具備する。
【００２０】
本発明の記録再生方法は、（ｇ）前記現在使用されている記憶メディアのサムネイルが前記格納されていない場合、前記現在使用されている記憶メディアのサムネイルを格納するステップを更に具備する。
【００２１】
本発明のプログラムは、上記のいずれかの記録再生方法をコンピュータに実行させるためのプログラムである。
【発明の効果】
【００２２】
ハードディスクとＤＶＤ等の記録媒体をもった記録再生装置において、ＤＶＤに記録された映像番組等のコンテンツを示す映像の縮小画（サムネイル）を逐次ハードディスクに記録し、ハードディスク内のコンテンツのサムネイル及び、過去に記録されたＤＶＤと共に一覧表示することを可能にする。
【発明を実施するための最良の形態】
【００２３】
以下に本発明の第１実施形態について添付図面を参照して説明する。
本発明の第１実施形態の構成図を図３に示す。
本発明のハードディスクを搭載したＤＶＤ記録再生装置は、ＤＶＤドライブ２１０、サムネイル生成部２２０、ＨＤＤ（ハードディスク）２３０、ユーザインターフェース部２４０、サムネイル一覧表示処理部２５０、サムネイル消去部２６０を具備する。
【００２４】
ＤＶＤドライブ２１０は、ＤＶＤが挿入される。サムネイル生成部２２０は、ＤＶＤ等の記録媒体に記録された映像番組等のコンテンツを示すサムネイルを生成する。ＨＤＤ記憶部２３０は、ＤＶＤ用サムネイル記憶部２３２とＨＤＤ用サムネイル２３１記録部を有する。ＨＤＤ用サムネイル記憶部２３１は、ＨＤＤに記録されたコンテンツのサムネイルを保存する。ＤＶＤ用サムネイル記憶部２３２は、ＤＶＤに記録されたコンテンツのサムネイルを保存する。ユーザインターフェース部２４０は、ユーザからの命令を受け付ける。サムネイル一覧表示処理部２５０は、サムネイル一覧表示処理を実行する。サムネイル消去部２６０は、ＤＶＤ用サムネイル記憶部２３２とＨＤＤ用サムネイル記録部２３１にあるサムネイルの内、指定されたサムネイルを消去する。
【００２５】
本発明において、ユーザが特定のコンテンツを再生したい場合のユーザの手順を図４のフローチャートに示す。
（１）ステップＳ２０１
ＤＶＤドライブ２１０にＤＶＤ１が挿入される。ＤＶＤドライブ２１０は、挿入されたＤＶＤ１に記憶されているデータを読み出す。
（２）ステップＳ２０２
サムネイル生成部２２０は、ＤＶＤ１のサムネイルを生成し、ＤＶＤ用サムネイル記憶部２３２に格納する。また、ＨＤＤ用サムネイル記憶部にはＨＤＤのサムネイルが格納されている。
（３）ステップＳ２０３
引き続き、ＤＶＤドライブ２１０からＤＶＤ１を取り出し、ＤＶＤ２が挿入される。ＤＶＤドライブ２１０は、挿入されたＤＶＤ２に記憶されているデータを読み出す。
（４）ステップＳ２０４
サムネイル生成部２２０はＤＶＤ２のサムネイルを生成し、ＤＶＤ用サムネイル記憶部２３２に格納する。
（５）ステップＳ２０５
ユーザインターフェース部２４０からサムネイルの一覧表示コマンドが発行される。サムネイル一覧表示処理部２５０は、ＤＶＤ用サムネイル記憶部２３２からＤＶＤ１、ＤＶＤ２のサムネイル及び、ＨＤＤ用サムネイル記憶部２３１からＨＤＤのサムネイルを読み出し一覧表示を行う。
【００２６】
図５にサムネイル一覧表示例を示す。
図５に示すように、ＤＶＤ１は過去に挿入されたものであり、現在は挿入されていないため、ＤＶＤ１及びそのサムネイルは再生不可領域にあるものとして扱われる。ＤＶＤ２は現在挿入されているため、ＤＶＤ２及びそのサムネイルは再生可能領域にあるものとして扱われる。なお、ＨＤＤ及びそのサムネイルは再生可能領域にあるものとして扱われる。
【００２７】
（６）ステップＳ２０６
ユーザがユーザインターフェース部２４０から再生可能領域にあるサムネイルを選択すると、コンテンツの再生が可能になり、次のステップＳ２０７の処理に移行する。
この時、ユーザインターフェース部２４０から処理終了操作が行われた場合、又はサムネイルが選択されないまま所定時間が経過した場合、全ての処理を終了するようにしても良い。
また、ＤＶＤ１のサムネイル一覧にあるコンテンツが選択された場合、ＤＶＤ１は再生不可領域にあるため、再生されない。この時、サムネイル一覧表示部は、ユーザに対してＤＶＤ１を挿入するように促すメッセージ又は画像を表示するようにしても良い。あるいは、他のサムネイルを選択可能にしても良いし、そのまま全ての処理を終了するようにしても良い。
また、サムネイル一覧表示部は、再生可能領域にあるサムネイルを表示しないようにしても良い。再生可能領域にあるサムネイルを表示するか否かは選択できるようにする。
（７）ステップＳ２０７
選択されたサムネイルに対応するコンテンツを再生する。
この時、コンテンツがＨＤＤのサムネイル一覧にある場合、ＨＤＤ記憶部２３０が、ＨＤＤ記憶部２３０内のコンテンツを再生する。
コンテンツがＤＶＤ２のサムネイル一覧にある場合、ＤＶＤドライブ２１０が、ＤＶＤ２のコンテンツを再生する。
（８）ステップＳ２０８
また、ユーザインターフェース部２４０から、ある特定のサムネイルに対してサムネイル消去コマンドが発行される。サムネイル消去部２１０は、ユーザインターフェース部２４０から指定されたサムネイルの消去を行う。指定が無ければこの処理は行われない。
【００２８】
本発明では、記録されたコンテンツのサムネイルの一覧表示をする場合、ハードディスクとＤＶＤの内容を同時に、かつ過去に挿入したＤＶＤのサムネイルも一覧表示することを可能にし、図２のステップＳ１０３〜Ｓ１０６の繰り返し手順を削減した。
【００２９】
第１実施形態の実施例について以下に詳述する。
現在挿入されているＤＶＤ１があるとする。この時、ＤＶＤサムネイル生成部において、ＤＶＤ１に記録された映像番組等のコンテンツを読み取り、第１のＤＶＤ１サムネイルの生成を行う。生成したＤＶＤ１サムネイルをハードディスク内のＤＶＤ１サムネイル記憶部に格納する。なお、ＤＶＤ１サムネイル記憶部は、ＤＶＤ用サムネイル記憶部に含まれている。ＨＤＤ用サムネイル記憶部には、ハードディスクに記録されたコンテンツのサムネイルが格納されている。ユーザインターフェース部からサムネイル一覧表示の指示があると、サムネイル一覧表示生成部が、ハードディスク内になるＤＶＤ用サムネイル記憶部に格納されたＤＶＤ１サムネイル及びＨＤＤ用サムネイル記憶部に格納されたＨＤＤサムネイルを読み出し、ＤＶＤ１サムネイル及びＨＤＤサムネイルの一覧表示を行う。
続けて、ＤＶＤ１を取り出し、ＤＶＤ２が挿入される。
同様にＤＶＤサムネイル生成部において、ＤＶＤ２に記録された映像番組等のコンテンツを読み取り、ＤＶＤ２サムネイルの生成を行う。生成したＤＶＤ２サムネイルをハードディスク内のＤＶＤ２サムネイル記憶部に格納する。なお、ＤＶＤ２サムネイル記憶部は、ＤＶＤ用サムネイル記憶部に含まれている。ユーザインターフェース部からサムネイル一覧表示の指示があると、サムネイル一覧表示生成部が、ハードディスク内にあるＤＶＤ用サムネイル記憶部に格納されたＤＶＤ１サムネイルとＤＶＤ２サムネイル及びＨＤＤ用サムネイル記憶部に格納されたＨＤＤサムネイルを読み出し、ＤＶＤ１サムネイル、ＤＶＤ２サムネイル及びＨＤＤサムネイルの一覧表示を行う。
以降同様の動作になる。
また、一覧表示されたサムネイルにおいて、ＤＶＤ１サムネイルの消去指示がある場合には、サムネイル消去部において、ＤＶＤ用サムネイル記憶部からＤＶＤ１サムネイルの消去を行う。
【００３０】
このように、本発明では、ハードディスク内に挿入されたＤＶＤのサムネイルをハードディスク内に格納するＤＶＤ用サムネイル記憶部を設けた。これによって、サムネイルの一覧表示において、ハードディスク及びＤＶＤのサムネイルを、同時に表示することを可能にした。また、ＤＶＤ用サムネイル記憶部を設けたことにより、ＤＶＤドライブに挿入後取り出されたＤＶＤでもサムネイルを格納し続けることを可能にした。また不要になったサムネイルはいつでもサムネイル消去指示によりサムネイル消去部で消去を行うことが可能である。
【００３１】
以下に本発明の第２実施形態について添付図面を参照して説明する。
本発明の第２実施形態のブロック図を図６に示す。第２実施形態では、第１実施形態の構成に加え、現在挿入されているＤＶＤが過去に参照したＤＶＤであるかを判別するディスク判別部２７０を設けた。なお、ディスク判別部２７０は、サムネイル生成部２２０とＨＤＤ記憶部２３０の間に設けられる。
【００３２】
第２実施形態において、ディスク判別部を介してサムネイルを格納する場合の動作を図７のフローチャートに示す。
（１）ステップＳ３０１
ＤＶＤドライブ２１０にＤＶＤ１が挿入される。ＤＶＤドライブ２１０は、挿入されたＤＶＤ１に記憶されているデータを読み出す。
（２）ステップＳ３０２
サムネイル生成部２２０はＤＶＤ１のサムネイルを生成する。
（３）ステップＳ３０３
ディスク判別部２７０は、ＤＶＤ用サムネイル記憶部２３２にＤＶＤ１のサムネイルが格納されているか否かを判定する。
（４）ステップＳ３０４
格納されていないことを判定した場合、ディスク判別部２７０は、ＤＶＤ用サムネイル記憶部２３２にＤＶＤ１のサムネイルを格納する。
（５）ステップＳ３０５
引き続き、ＤＶＤドライブ２１０からＤＶＤ１を取り出し、ＤＶＤ２が挿入される。ＤＶＤドライブ２１０は、挿入されたＤＶＤ２に記憶されているデータを読み出す。
（６）ステップＳ３０６
サムネイル生成部２２０はＤＶＤ２のサムネイルを生成する。
（７）ステップＳ３０７
ディスク判別部２７０は、ＤＶＤ用サムネイル記憶部２３２にＤＶＤ２のサムネイルが格納されているか否かを判定する。
（８）ステップＳ３０８
格納されていないことを判定した場合、ディスク判別部２７０は、ＤＶＤ用サムネイル記憶部２３２にＤＶＤ２のサムネイルを格納する。ＤＶＤ用サムネイル記憶部２３２には、ＤＶＤ１のサムネイルとＤＶＤ２のサムネイルが格納されている。
（９）ステップＳ３０９
再び、ＤＶＤドライブ２１０からＤＶＤ２を取り出し、ＤＶＤ１が挿入される。ＤＶＤドライブ２１０は、挿入されたＤＶＤ１に記憶されているデータを読み出す。
（１０）ステップＳ３１０
サムネイル生成部２２０はＤＶＤ１のサムネイルを生成する。
（１１）ステップＳ３１１
ディスク判別部２７０は、ＤＶＤ用サムネイル記憶部２３２にＤＶＤ１のサムネイルが格納されているか否かを判定する。既ににＤＶＤ１のサムネイルが格納されていることを検出し、ＤＶＤ用サムネイル記憶部２３２への格納は行わない。
（１２）ステップＳ３１２
以降、上記の動作を繰り返す。
【００３３】
第２実施形態の実施例について以下に詳述する。
例えば、ＤＶＤ用サムネイル記憶部にＤＶＤ１及びＤＶＤ２サムネイルが格納されている場合に、ＤＶＤ２が挿入されているとする。この時、ディスク判定部によって、ＤＶＤ用サムネイル記憶部に格納されているサムネイルの内、ＤＶＤ２が再生可能であることが検出される。この検出により、一覧表示において、ＤＶＤ１サムネイル、ＤＶＤ２サムネイル及びＨＤＤサムネイルの一覧表示を行われると、ＤＶＤ２サムネイル及びＨＤＤサムネイルが再生可能であることが表示される。
また、再度ＤＶＤ１が挿入されると、ディスク判別部においてＤＶＤ用サムネイル記憶部にＤＶＤ１サムネイルが格納されていることが検出され、過去に挿入されたＤＶＤであることが判別される。
その場合には、ＤＶＤ１サムネイルのＤＶＤ用サムネイル記憶部への格納は行わない。
【００３４】
このように、本発明では、ディスク判別部２７０を設けることにより、ＤＶＤ用サムネイル記憶部２３１に既に格納済みであれば、新たに格納しないようにすることができる。これにより、不要なサムネイルの複数格納を防ぐことができ、見たいコンテンツの検索を第１実施形態より、更に容易にすることが可能になる。またハードディスクの使用容量を削減できる。
【００３５】
なお、上記の例ではＤＶＤ及びＤＶＤドライブを用いているが、実際にはＤＶＤ及びＤＶＤドライブに限定されるものではなく、データを記録しておくための記憶メディア（記憶媒体）と該記憶メディアを読み出すことが可能な読み出し装置であれば良い。
また、ＨＤＤについても、実際にはハードディスクに限定されるものではなく、データの読み書きが可能な記憶装置であれば良い。
【００３６】
以上のように、本発明の記録再生装置は、ＤＶＤ等の記録媒体に記録された映像番組等のコンテンツの内容を示すサムネイルを生成するサムネイル生成部とその生成したサムネイルを格納するＤＶＤ用サムネイル記憶部とをハードディスク内に備える。また、ハードディスクに記録されたコンテンツの内容を示すサムネイルを格納するＨＤＤ用サムネイル記憶部もハードディスク内に備える。これらのハードディスク内に記憶されたＤＶＤサムネイルとＨＤＤサムネイルとを表示するためのサムネイル一覧表示生成部が、ユーザインターフェース部からの一覧表示指示を受けると、ＤＶＤ用サムネイル記憶部に格納されたＤＶＤサムネイルとＨＤＤ用サムネイル記憶部に格納されたＨＤＤサムネイルの一覧表示を行う。また、一覧表示されたＤＶＤサムネイルとＨＤＤサムネイルをユーザインターフェース部からのサムネイル消去指示により、サムネイル消去部は、ＤＶＤ用サムネイル記憶部又はＨＤＤ用サムネイル記憶部に格納されたサムネイルの消去を行う。
【００３７】
更に、上記の構成に加え、現在挿入されているＤＶＤが既にＤＶＤ用サムネイル記憶部に格納されたものかの判定を行うディスク判別部を備え、過去に読み取りを行ったＤＶＤかの一致を検出する、又は一致しなければディスク判別部に現在のＤＶＤのサムネイルを格納する。
【００３８】
従来では、ハードディスク及びＤＶＤに記録された映像番組等のコンテンツの内容を示すサムネイルの表示がハードディスク又はＤＶＤのどちらか一方のみの表示であった。これに対して、本発明では、サムネイルの表示を同時に行うことが可能である。同時に表示することにより、ハードディスク及びＤＶＤのコンテンツの検索や再生を効率的に行うことができる。また、更にＤＶＤ用サムネイル記憶部に、過去に参照したＤＶＤのサムネイルを格納しておくことにより、ユーザの手持ちＤＶＤの一覧リストとして活用することができる。
また、上記の効果に加え、現在挿入されているＤＶＤを判別することにより、サムネイルの一覧表示において表示されているサムネイルの内、現在再生が可能なＤＶＤサムネイルを判別することができる。また、現在挿入されているＤＶＤが過去に参照したＤＶＤであることを判別し、ＤＶＤ用サムネイル記憶部内に既に格納済みであれば、新たに格納しないようにすることにより、ハードディスクの使用容量を削減できる。
【００３９】
すなわち、本発明により、ＨＤＤ（ハードディスク）とＤＶＤのサムネイル一覧表示を同時に行うことができ、コンテンツ検索が効率的に行える。
また、過去に参照したＤＶＤのサムネイルを記憶しておくことができ、ＤＶＤ検索における連続作業を削減することができる。
また、過去に参照したＤＶＤのサムネイルを記憶しておくことにより、サムネイルの一覧表示が手持ちＤＶＤのコンテンツリストとして活用できる。
更に、サムネイルを格納するＨＤＤの使用量を削減できる。
【図面の簡単な説明】
【００４０】
【図１】図１は、従来技術のブロック図である。
【図２】図２は、従来技術によるコンテンツ検索のフローチャートである。
【図３】図３は、本発明の第１実施形態のブロック図である。
【図４】図４は、本発明におけるコンテンツ検索のフローチャートである。
【図５】図５は、本発明のサムネイル一覧表示を示す図である。
【図６】図６は、本発明の第２実施形態のブロック図である。
【図７】図７は、本発明におけるディスク判別のフローチャートである。
【符号の説明】
【００４１】
１１０…  ＤＶＤドライブ
１２０…  サムネイル生成部
１３０…  ＨＤＤ（ハードディスク）
１３１…  ＨＤＤ用サムネイル記憶部
１４０…  ユーザインターフェース部
１５０…  サムネイル一覧表示処理部
１６０…  セレクタ
２１０…  ＤＶＤドライブ
２２０…  サムネイル生成部
２３０…  ＨＤＤ
２３１…  ＤＶＤ用サムネイル記憶部
２３２…  ＨＤＤ用サムネイル２３１記録部
２４０…  ユーザインターフェース部
２５０…  サムネイル一覧表示処理部
２６０…  サムネイル消去部
２７０…  ディスク判別部
【図１】
2007115298.tif 000003
【図２】
2007115298.tif 000004
【図３】
2007115298.tif 000005
【図４】
2007115298.tif 000006
【図５】
2007115298.tif 000007
【図６】
2007115298.tif 000008
【図７】
2007115298.tif 000009